(57)【要約】      （修正有）【課題】引戸の戸先側に取付けた施錠装置を操作する為の施錠用レバーハンドルを提供する。【解決手段】施錠装置の軸が嵌る穴を形成したツバ１７と該ツバ１７から半径外方向へレバー１８を延ばし、そして該レバー１８には樹脂カバー１９を被覆し、しかも樹脂カバー１９の表面には指を当てて押圧する際に指の一部が係合することが出来る穴２０を形成している。【選択図】図４
0003207813.tif 000002
【実用新案登録請求の範囲】
【請求項１】
引戸の戸先側に取付けた施錠装置を操作する為のレバーハンドルにおいて、上記施錠装置の軸と連結するツバと該ツバから半径外方向へレバーを延ばし、そして該レバーには樹脂カバーを被覆し、しかも樹脂カバーの表面には指を当てて押圧する際に指表面の一部が係合することが出来る穴を形成したことを特徴とする引戸の施錠用レバーハンドル。
【請求項２】
上記樹脂カバーは別部材として成形し、これをレバーに嵌着した請求項１記載の引戸の施錠用レバーハンドル。
【請求項３】
上記レバーを金型内にセットし、金型に樹脂を流し込んで樹脂カバーを一体成形した引戸の施錠用レバーハンドル。
【考案の詳細な説明】
【技術分野】
【０００１】
本考案は滑りにくく、操作性に優れた引戸の施錠用レバーハンドルに関するものである。
【背景技術】
【０００２】
引戸は上レールに吊車を介して吊設され、上レールに沿って移動することで間口（出入口）を開閉することが出来る。また、引戸は床面に敷設した下レールを車輪が転がって開閉する場合もあるが、引戸の戸先側には取手が設けられ、該取手を握って引戸を開閉することが出来る。そして、該引戸を閉じた場合にロックすることが出来る施錠装置が装着され、該施錠装置を操作する為のロックツマミが戸先側の上記取手の下方に取付けられている。
【０００３】
従来のロックツマミは小さく、その為にロックツマミを指で摘んで回転して引戸をロックする場合、老人や子供あるいは身体障害者にとってロック操作はし難い。その為に、ロック操作の容易性、安全性の点などから、近年ではレバーハンドルが多く採用されるようになっている。ところで、レバーハンドルは施錠装置の軸から半径外方向に大きく延び、その為に引戸を開く場合にレバーハンドルの先端が戸袋の中間枠に当ってキズが付く。
【０００４】
一般にレバーハンドルは金属製の剛体であることから、キズは強度が低い中間枠側に発生する。これを防止する為に、レバーハンドルの表面にニット生地から成るカバーを被せて被覆するようにすることも可能である。例えば、実用新案登録第３１５２６７６号に係る「レバーハンドル用カバー」は、滑りにくく、操作性に優れたレバーハンドル用カバーである。
【０００５】
上記レバーハンドル用カバーは、開口端から挿入したレバーハンドルに対してニット生地の収縮性によって締め付けられる密接する大きさの袋状に形成し、ハンドルカバー主体の内奥内面に、レバーハンドル表面に密着する滑り止め片を固定している。ニット生地には、レバーハンドルに対する収縮力を強化するゴムを編み込む他、帯電防止糸を編み込むことにより、静電気の放電を防止することができる。そして、ニット生地を被覆したレバーハンドルは、引戸を開いた際に中間枠に当っても衝撃を緩和してキズの発生を抑えることは出来る。
【０００６】
また、ニット生地ではなく、滑らず、静電気を発生させないようにシリコンゴム製等のカバーも提案されている。しかし、上記ニット生地製の袋カバーやシリコンゴム製のカバーにしても、レバーハンドルから抜け落ち易い。そこで、レバーハンドルを被覆するカバーではなく、レバーハンドルの表面に樹脂カバーを一体成形して被覆したものも知られている。
【０００７】
第３０１４１４０号に係る「ドア用把手器具」は、感触がよく色彩選択の自由度が高く、耐久性と高い強度を持つドア用把手器具である。すなわち、ドアノブとドアノブ取付盤とから成り、ドアノブは施錠部材との接続部とドアノブ取付盤への嵌入軸部を持つ金属補強体を芯にして、その回りをプラスチックにより被覆するように一体成形したものから成り、ドアノブ取付盤は、嵌入軸部の軸受部と、固定板部とバネ係止部とを備えた補強金具の外側を、プラスチックにより被覆するように一体成形したものから成り、嵌入軸部の先端にコイルバネ部材が係合している。
【０００８】
ところで、施錠用のレバーハンドルは、操作時に手で握るものではなく、指で押さえて揺動させる為に、表面に樹脂カバーを一体成形しただけでは押える際に指が滑って操作し難いといった問題がある。
【特許文献１】実用新案登録第３１５２６７６号に係る「レバーハンドル用カバー」
【特許文献２】第３０１４１４０号に係る「ドア用把手器具」
【考案の開示】
【考案が解決しようとする課題】
【０００９】
このように、表面に樹脂カバーを形成したレバーハンドルには上記のごとき問題がある。本考案が解決しようとする課題はこの問題点であって、施錠に際して押える指が滑ることなく操作し易い施錠用のレバーハンドルを提供する。
【課題を解決するための手段】
【００１０】
本考案は施錠装置に取付けられるレバーハンドルであり、レバーハンドルを揺動することで軸が回転し、鎌片が突出してロックすることが出来るように構成した装置であり、ただし施錠装置本体の構造は限定しない。すなわち、従来から多用されているロックツマミの代わりに取付けられるレバーハンドルである。ところで、該レバーハンドルは施錠装置の軸が嵌って取付けられるツバを有し、該ツバからは金属製のレバーが半径外方向へ延び、このレバーには樹脂製の樹脂カバーが形成されている。
【００１１】
ところで、この樹脂カバーはレバー表面に一体成形され、又は別部材としての成形部品をレバーに嵌着することが出来る。そして、樹脂カバーの表面には穴が形成され、この穴底にはレバーの表面が露出している。ここで、穴の形状並びに大きさは特に限定するものではなく、丸や多角形など、色々な形状の穴とすることが出来る。
【考案の効果】
【００１２】
本考案のレバーハンドルは金属製レバーに樹脂製の樹脂カバーを設けたものであり、そして樹脂カバーには穴が形成されていることで、施錠時に押し当てた指は滑り難く、操作し易い。すなわち、施錠前は先端を高く傾斜して延びているレバーハンドルの押圧面全体が平坦な面でなく、押し当てる指の表面が係止する穴が設けられていることで、滑りにくくなる。また、樹脂カバーを金型で一体成形する場合であれば、穴が位置決めとなって成形し易い。
【００１３】
レバーハンドルは戸先側に配置されている為に、引戸を開く場合には該レバーハンドル先端が戸袋の入口側に位置する中間枠に当る場合もあるが、樹脂カバーを設けることで中間枠に当った際の衝撃は緩和され、強度的に弱い中間枠がキズ付くことはない。また、樹脂カバーを設けることで金属製のレバーハンドルに触れる冷たさを感じることもなくなり、乾燥時の静電気を防止することも出来る。
【００１４】
一方、長期間経過すると樹脂カバーは汚れるが、樹脂カバーに穴が設けられることで剥離して取外し易く、新たな樹脂カバーを取付け出来る。すなわち、施設の利用者からの要望で樹脂カバーの色彩変更や形状の変更に手軽に対応出来る。さらに、樹脂カバーに設けられる穴に触ることで、視力の弱い人は穴の形状を識別して部屋の判別も可能と成る。
【図面の簡単な説明】
【００１５】
【図１】引戸装置の正面図と横断面図。
【図２】図１のＡ−Ａ断面拡大図。
【図３】図１のＢ−Ｂ断面拡大図。
【図４】本考案に係るレバーハンドルの具体例。
【考案を実施するための形態】
【００１６】
図１は引戸装置の正面図と横断面図を表している。同図の１は引戸、２は戸袋を表し、引戸１の上端両側には吊車が取着され、該引戸１は吊車を介して上レールに吊設されると共に、上レールに沿って移動することが出来る。引戸１の戸先側には取手３が取付けられ、取手３を持って引戸１を開閉することが出来、そして、取手３の下方には施錠用のレバーハンドル４が取着されている。
【００１７】
上記レバーハンドル４は施錠装置であり、引戸１を閉じてレバーハンドル４を同図のように押下げることでロックされ、引戸１を開くことは出来なくなる。そして、戸袋２は引戸１を開く場合に収納することが出来る戸袋空間５を有し、戸袋２の先端には中間枠６ａ，６ｂが取付けられている。ロックが解除されている状態のレバーハンドル４は先端側を高くし傾斜しているが、引戸１を開いて戸袋空間５に入るならば、戸先側に設けているレバーハンドル４の先端が中間枠６ｂに当接する虞がある。
【００１８】
図２は図１のＡ−Ａ断面拡大図を示しているが、引戸１の外側面には表示器７が設けられていて、内側に取付けているレバーハンドル４を操作してロックするならば、ロック状態にある旨が分かるように成っている。（例えば、レバーハンドルの軸と共に回転して赤くなるように表示する）そして、戸袋空間５の奥には戸尻枠８が取着され、この戸尻枠８にはクッション材９を取付けている。従って、引戸１が開いた場合、引戸１の戸尻はこのクッション材９に当って衝撃が緩和される。
【００１９】
図３は図１のＢ−Ｂ断面拡大図を示しているように、上レール１０には吊車１１が載り、この吊車１１を介して引戸１は吊設されている。そして、引戸１を閉じる場合、戸先が戸先枠１２に勢いよく当らないように制動装置１３を設けている。制動装置１３の具体的構造は自由であり、例えば、引戸１が当ることで長く延びているピストンロッドを後退することが出来るアクチュエータとして構成することが可能である。
【００２０】
引戸１の上端は両側に取着した吊車１１が上レール１０に載ることで位置決めされるが、引戸１の下端は振れ止め１４を床面から起立して設け、この振れ止め１４が嵌るように下端には溝１５を沿設している。また、引戸装置の間口（出入口）上端には点検パネル１６が取付けられており、引戸１の上端部及び吊車１１並びに制動装置１３が外から見えないようにカバーし、点検時には開放することが出来る。
【００２１】
図４は上記引戸１の施錠装置に取付けられるレバーハンドル４の具体例である。すなわち、本考案の実施例である。本考案は施錠装置を操作するレバーハンドル４を対象としており、引戸装置の構造及び戸袋２の有無などは問わない。引戸１を閉じた場合、他人が勝手に開くことが出来ないように施錠装置が備わっているが、本考案はこの施錠装置を操作する為のレバーハンドル４である。
【００２２】
該レバーハンドル４は同図に示すように、施錠装置の軸が嵌合する穴を形成したツバ１７を有し、このツバ１７から半径外方向へ金属製のレバー１８が延びている。レバー１８は一定厚さの板状体として形成され、このレバー１８の表面に樹脂カバー１９が被覆している。ここで、該樹脂カバー１９は、金型内にレバー１８をセットし、この状態で金型に樹脂を流し込んで一体成形してもよく、又は別部材として成形した樹脂カバー１９をレバー１８に嵌着することも可能である。
【００２３】
何れの場合も、樹脂カバー１９の表面には貫通した穴２０が形成され、その為に樹脂カバー１９がレバー１８に嵌着した場合、又は一体成形した状態では、穴底に金属製のレバー表面が露出している。ところで、同図に示す上記穴２０は長方形としているが、円形、平行四辺形、又はひし形など、その形状は問わないことにする。このように、樹脂カバー１９に穴２０を設けることで、製作上の問題はないが、レバーハンドル４としては次のように機能することが出来る。
【００２４】
施錠前のレバーハンドル４は先端側を高く傾斜した状態に保持されているが、このレバーハンドル４に指を掛けて下方へ押圧することでレバーハンドル４は揺動し、施錠装置の軸が回転してロックされる。この場合、レバーハンドル上面に形成した穴２０に指の一部が係合して滑りにくくなる。すなわち、老人や身体障害者にとって操作し易いレバーハンドル４となる。
【００２５】
ここで、穴２０は指の先端部表面が係合することが出来る程度の大きさが好ましい。例えば、長方形の穴であれば、横辺が１５ｍｍ〜２０ｍｍ、縦辺が５ｍｍ〜１０ｍｍが適している。円形の穴であるならば、直径が１０ｍｍ〜１５ｍｍが好ましい。
【符号の説明】
【００２６】
１   引戸
２   戸袋
３   取手
４   レバーハンドル
５   戸袋空間
６   中間枠
７   表示器
８   戸尻枠
９   クッション材
10   上レール
11   吊車
12   戸先枠
13   制動装置
14   振れ止め
15   溝
16   点検パネル
17   ツバ
18   レバー
19   樹脂カバー
20   穴
【図１】
0003207813.tif 000003
【図２】
0003207813.tif 000004
【図３】
0003207813.tif 000005
【図４】
0003207813.tif 000006
【手続補正書】
【提出日】平成28年9月29日(2016.9.29)
【手続補正１】
【補正対象書類名】実用新案登録請求の範囲
【補正対象項目名】全文
【補正方法】変更
【補正の内容】
【実用新案登録請求の範囲】
【請求項１】
引戸の戸先側に取付けた施錠装置を操作する為のレバーハンドルにおいて、上記施錠装置の軸と連結するツバと該ツバから半径外方向へレバーを延ばし、そして該レバーには樹脂カバーを被覆し、しかも樹脂カバーの表面には指を当てて押圧する際に指表面の一部が係合することが出来る穴を形成したことを特徴とする引戸の施錠用レバーハンドル。
【請求項２】
上記樹脂カバーは別部材として成形し、これをレバーに嵌着した請求項１記載の引戸の施錠用レバーハンドル。
【請求項３】
上記レバーを金型内にセットし、金型に樹脂を流し込んで樹脂カバーを該レバーと一体成形した請求項１記載の引戸の施錠用レバーハンドル。